(57)【要約】【課題】  ガススプリングを使用した、円滑に作動するドアクローザを提供すること。【解決手段】  ガススプリング２及び移動体３を収容し、ガススプリング２を支持するとともに、ガススプリング２の伸縮方向に沿って移動体３を案内する案内部を有する外装体４を備えたドアクローザとする。外装体４は、ガススプリング２の伸縮方向に沿って移動体３を案内する案内部を有するため、移動体３にはアーム５によって横方向の力が作用するが、移動体３は安定した動作で進退し、ドアクローザは円滑に作動する。また、ガススプリング２及び移動体３は外装体４に収容されており、アーム５が扉に略沿った状態で扉が開閉されるため、露出部分が少なく、開き扉に取り付けた場合に、外観上好ましいものとなる。【選択図】  図１
2006152702.tif 000002
【特許請求の範囲】
【請求項１】
ガススプリング主体及びロッド部を有するガススプリングと、
前記ガススプリング主体又はロッド部に連結される移動体と、
前記ガススプリング及び前記移動体を収容し、前記ガススプリングを支持するとともに、ガススプリングの伸縮方向に沿って前記移動体を案内する案内部を有する外装体と、
前記移動体に対して回転自在に一端を連結したアームと、を備え、
開き扉の扉本体上部又は枠体上部のうちの一方に、移動体が扉先側となるように前記外装体を取り付け、
前記扉本体上部又は枠体上部のうちの他方であって、移動体と扉回転支持部との間の位置に、前記アームの他端を回転自在に取り付けることを特徴とするドアクローザ。
【請求項２】
ガススプリングを圧縮した状態で、移動体の移動阻止とその解除を行なうストッパ部材を設けたことを特徴とする請求項１に記載のドアクローザ。
【請求項３】
ストッパ部材は、移動体に当接して移動体の移動を阻止する当接部と、前記当接部を外装体に対して固定及び解除可能な固定手段と、を備えたことを特徴とする請求項２に記載のドアクローザ。
【請求項４】
ガススプリング主体に移動体を連結するとともに、ロッド部を被覆する被覆部を外装体に設けたことを特徴とする請求項１から３のいずれか１項に記載のドアクローザ。
【請求項５】
ガススプリングは、制動力を調整する制動力調整手段を有し、
外装体を扉本体上部又は枠体上部に取り付けた状態で、前記制動力調整手段を操作可能としたことを特徴とする請求項１から４のいずれか１項に記載のドアクローザ。
【発明の詳細な説明】
【技術分野】
【０００１】
本発明は、ガススプリングを用いたドアクローザに関するものである。
【背景技術】
【０００２】
従来、ガススプリングを用いたドアクローザとして、
扉９１あるいは壁９２の表面に副うように配設され、その基端が前記扉９１あるいは壁９２に固着されるガスダンパー９３と、
前記ガスダンパー９３のロッド部９４を内部に収装し、その先端を前記ロッド部９４の先端に連結させるカバー９５と、
前記カバー９５の外周部を進退自在に保持するとともに、扉９１あるいは壁９２に取付基板を介して固着されるガイド部材９６と、
前記カバー９５の基端外部に一端が連結され、他端が壁９２あるいは扉９１に枢着されるアーム９７と、
を備えたドアクローザ９８が知られている（図１３及び特許文献１参照。）。
【０００３】
図１３に示すように、前記従来のドアクローザ９８は、扉９１を開く場合、扉９１の開き角度が増加するに従って、アーム９７に連結されたカバー９５はアーム９７に引寄せられるように移動する。このときカバー９５はガイド部材９６に案内される。移動するガイド部材９６はガスダンパー９３のロッド部９４を収縮させ、ガスダンパー９３に反発力を蓄える。
【０００４】
扉９１を閉める場合、扉９１から手を離すと、ガスダンパー９３に蓄えられた反発力によってロッド部９４が伸張する。伸張するロッド部９４はカバー９５を元の位置に戻るように移動させる。カバー９５はガイド部材９６に案内されながら元の位置まで移動する。カバー９５は、連結されたアーム９７に対して扉９１を閉止させる方向の力を発揮させて、扉９１を閉止する。
【０００５】
【特許文献１】実開昭６４−２６４９１号公報
【発明の開示】
【発明が解決しようとする課題】
【０００６】
上記説明した従来のドアクローザ９８では、カバー９５はガイド部材９６で保持されて進退する。ガイド部材９６が長いと、前記アーム９７とカバー９５との連結部分がガイド部材９６に接触し、カバー９５の進退を妨げてしまう。そのため、ガイド部材９６の長さはカバー９５の長さに対して短くする必要があり、カバー９５を全長に渡ってガイド部材９６で保持することはできない。
【０００７】
前記カバー９５は、進退方向にだけ動くように保持することが好ましい。しかし、カバー９５の長さに対してガイド部材９６の長さが短いため、カバー９５をそのように保持することができない。すなわち、カバー９５が進退すると、カバー９５とアーム９７との連結部分からガイド部材９６までの距離が変化する。また、アーム９７との連結部分には曲げ力が作用する。このため、カバー９５は、進退方向以外の方向に撓むこととなる。カバー９５が撓むことによって、カバー９５が他の部材等に接触してドアクローザ９８が異音を生じたり、あるいはカバー９５の進退が円滑に行なわれず、ドアクローザ９８が円滑に作動しないという問題がある。
【０００８】
また、前記従来のドアクローザ９８では、ガスダンパー９３、カバー９５の他、ドアクローザ９８の構成部分の全てが露出しており、開き扉に取り付けた場合に、外観上好ましくないという問題がある。
【０００９】
また、ドアクローザ９８を開き扉に取り付ける場合、カバー９５とアーム９７とを連結させる必要がある。ところが、カバー９５にはガスダンパー９３の反発力が作用しているため、ガスダンパー９３の反発力に対抗してカバー９５をアーム９７に接近させ、カバー９５とアーム９７とを連結させなければならない。ガスダンパー９３の反発力に対抗してカバー９５をアーム９７に接近させ、その状態を保ちながら、カバー９５とアーム９７とを連結する作業は困難であり、ドアクローザ９８の取り付けに手数を要するという問題がある。
【００１０】
本発明は、前記の問題点に鑑みてなされたものであって、その第１の目的は、ドアクローザを構成する各部材が安定して動作することによって円滑に作動するドアクローザを提供することである。
また、第２の目的は、開き扉に取り付けた場合に外観上好ましいドアクローザを提供することである。
また、第３の目的は、取り付けが容易なドアクローザを提供することである。
【課題を解決するための手段】
【００１１】
前記目的を達成するため、請求項１に記載の発明では、ガススプリング主体及びロッド部を有するガススプリングと、
前記ガススプリング主体又はロッド部に連結される移動体と、
前記ガススプリング及び前記移動体を収容し、前記ガススプリングを支持するとともに、ガススプリングの伸縮方向に沿って前記移動体を案内する案内部を有する外装体と、
前記移動体に対して回転自在に一端を連結したアームと、を備え、
開き扉の扉本体上部又は枠体上部のうちの一方に、移動体が扉先側となるように前記外装体を取り付け、
前記扉本体上部又は枠体上部のうちの他方であって、移動体と扉回転支持部との間の位置に、前記アームの他端を回転自在に取り付けたドアクローザとした。
【００１２】
また、請求項２に記載の発明では、請求項１に記載の発明において、ガススプリングを圧縮した状態で、移動体の移動阻止とその解除を行なうストッパ部材を設けた。
【００１３】
また、請求項３に記載の発明では、請求項２に記載の発明において、ストッパ部材は、移動体に当接して移動体の移動を阻止する当接部と、前記当接部を外装体に対して固定及び解除可能な固定手段と、を備えた。
【００１４】
また、請求項４に記載の発明では、請求項１乃至３のいずれか１項に記載の発明において、ガススプリング主体に移動体を連結するとともに、ロッド部を被覆する被覆部を外装体に設けた。
【００１５】
また、請求項５に記載の発明では、請求項１乃至４のいずれか１項に記載の発明において、ガススプリングは、制動力を調整する制動力調整手段を有し、外装体を扉本体上部又は枠体上部に取り付けた状態で、前記制動力調整手段を操作可能とした。
【００１６】
（作用）
従って、請求項１に記載の発明では、外装体は、ガススプリングの伸縮方向に沿って移動体を案内する案内部を有するため、移動体にはアームによって横方向の力が作用するが、移動体は安定した動作で進退する。
【００１７】
請求項２に記載の発明では、ガススプリングの反発力に対抗して移動体を移動させた後、ストッパ部材で移動体の移動を阻止することにより、移動体を移動させた状態を保つ。また、移動体とアームとを連結した後、移動体の移動阻止を解除する。
【００１８】
請求項３に記載の発明では、ガススプリングの反発力に対抗して移動体を移動させた後、ストッパ部材を外装体に対して固定し、当接部で移動体の移動を阻止することにより、移動体を移動させた状態を保つ。また、移動体とアームとを連結した後、ストッパ部材の固定状態を解除して移動体を移動可能とする。
【００１９】
請求項４に記載の発明では、ロッド部を被覆する被覆部を外装体に設けることにより、ロッド部に埃等の異物が蓄積されることを防止する。また、ガススプリング主体は扉先側となり、ロッド部は扉回転支持部側となる。このため、ロッド部を被覆する被覆部はアームの作動の障害とならない。
【００２０】
請求項５に記載の発明では、ガススプリングは、制動力を調整する制動力調整手段を有し、外装体を扉本体上部又は枠体上部に取り付けた状態で、前記制動力調整手段を操作可能である。
【発明の効果】
【００２１】
以上詳述したように請求項１から請求項５に記載の発明によれば、外装体は、ガススプリングの伸縮方向に沿って移動体を案内する案内部を有するため、移動体にはアームによって横方向の力が作用するが、移動体は安定した動作で進退し、ドアクローザは円滑に作動する。
また、ガススプリング及び移動体は外装体に収容されており、また、アームが扉に略沿った状態で扉が開閉されるため、露出部分が少なく、開き扉に取り付けた場合に、外観上好ましいものとなる。
【００２２】
また、請求項２に記載の発明によれば、ガススプリングの反発力に対抗して移動体を移動させた後、ストッパ部材で移動体の移動を阻止することにより、移動体を移動させた状態を保つことができる。そのため、移動体とアームとを連結する作業が容易となる。また、移動体とアームとを連結した後、移動体を移動可能とすることができる。このため、ドアクローザの取り付け作業が容易である。
【００２３】
また、請求項３に記載の発明によれば、ガススプリングの反発力に対抗して移動体を移動させた後、ストッパ部材を外装体に対して固定し、当接部で移動体の移動を阻止することにより、移動体を移動させた状態を保つことができる。そのため、移動体とアームとを連結する作業が容易である。また、移動体とアームとを連結した後、ストッパ部材の固定状態を解除して移動体を移動可能とすることができる。このため、ドアクローザの取り付けが容易である。
【００２４】
また、請求項４に記載の発明によれば、ロッド部を被覆する被覆部を外装体に設けることにより、ロッド部に埃等の異物が蓄積されることを防止する。また、ガススプリング主体に移動体を連結することにより、ガススプリング主体は扉先側となり、ロッド部は扉回転支持部側となる。このため、ロッド部を被覆する被覆部はアームの作動の障害とならない。ロッド部に埃等の異物が蓄積されることを防止し、被覆部はアームの作動の障害とならないため、ドアクローザは円滑に作動する。
【００２５】
また、請求項５に記載の発明によれば、ガススプリングは、制動力を調整する制動力調整手段を有し、外装体を扉本体上部又は枠体上部に取り付けた状態で、前記制動力調整手段を操作可能である。このため、ドアクローザを開き扉に取り付けた状態でガススプリングの制動力を調整することができ、開き扉の閉止速度を調整することが容易である。
【発明を実施するための最良の形態】
【００２６】
本発明を具体化した実施形態について図１から図１２に従って説明する。
【実施例１】
【００２７】
図１、図２は、開き扉の扉本体上部８１及び枠体上部８２に取り付けられた、本実施例１に係るドアクローザ１を示す。ドアクローザ１は、ガススプリング２（図１、図２には図示せず）、移動体３、外装体４及びアーム５を有する。
【００２８】
ガススプリング２について説明する。図４に示すように、前記ガススプリング２は、ガススプリング主体２１及びロッド部２２を有する。実施例１で使用するガススプリング２の構造は、従来から公知のものである。ロッド部２２はガススプリング主体２１に対して伸張する方向に付勢されている。付勢されている方向は、図４の図示右側方向である。ガススプリング主体２１には従来公知の制動手段（図示せず）が設けられている。前記制動手段は、ロッド部２２を縮めた状態から伸張する場合に、ロッド部２２の伸張する速度を抑える。また、ロッド部２２の端部には、ロッド側連結部２３が設けられ、ガススプリング主体２１の端部には主体側連結部２４が設けられる。前記ロッド側連結部２３には、後記説明する外装体４が連結され、前記主体側連結部２４には、後記説明する移動体３が連結される。
【００２９】
移動体３について説明する。図４に示すように、前記移動体３は、前記ガススプリング２とアーム５とを連結させる部材である。移動体３の外形は、外装体４の内部に収容され、外装体４の内部を移動しうる形状である。本実施例の場合、図３に示すように、後記説明する外装体４の内部には、断面形状が略方形の収容空間が形成されている。移動体３の断面形状は、この収容空間に収容されるように略方形であり、外形は略直方体である。移動体３は、前記ガススプリング２の主体側連結部２４と連結される。図５に示すように、主体側連結部２４と移動体３とは、これらを貫通するピン３１によって連結される。また、移動体３には、アーム５を連結するための連結用軸部３２が設けられている（図３参照）。
【００３０】
外装体４について説明する。図４に示すように、前記外装体４は、前記ガススプリング２及び前記移動体３を収容する部材である。外装体４は、図３に示すように、底部４１と、前記底部４１の両側から立設される側部４２と、前記側部４２の図示上部に内側に屈曲される屈曲部４３とから構成される。外装体４の内部には、前記底部４１、側部４２及び屈曲部４３によって、収容空間が形成される。前述したように、収容空間に前記ガススプリング２と前記移動体３とが収容される。図５に示すように、前記底部４１には外装体４を開き扉の扉本体上部８１又は枠体上部８２に取り付けるための取付用孔４４が設けられている。
【００３１】
図４に示すように、外装体４は前記ガススプリング２を支持する。ガススプリング２のロッド側連結部２３を外装体４と連結して支持する。連結手段としての連結部材４５は、前記外装体４の収容空間に図示右端側に設けられる。前記連結部材４５は、外装体４の底部４１に固定されている。
【００３２】
図３に示すように、移動体３は前記移動体３を構成する底部４１、側部４２及び屈曲部４３によって包囲されている。底部４１、側部４２及び屈曲部４３は移動体３の移動を案内する案内部を構成する。案内部としての底部４１、側部４２及び屈曲部４３により、前記ガススプリング２の伸縮方向に沿って前記移動体３を案内する。
【００３３】
アーム５について説明する。図１に示すように、アーム５は、前記移動体３に連結され、開き扉の扉本体上部８１と枠体上部８２とを接続する部材である。図６に示すように、アーム５の一端（図６では左端）に、前記移動体３の連結用軸部３２が嵌入する連結用孔５１が設けられる。アーム５の他端（図６では右端）には、台座５２が回転自在に取り付けられる。台座５２はアーム５を開き扉の扉本体上部８１又は枠体上部８２に連結するための部材である。台座５２とアーム５はカシメ止め手段を用いて回転自在に取り付けられている。この部分がアーム５の回転中心５５となる。台座５２には、開き扉の扉本体上部８１又は枠体上部８２に取り付けるための台座取付用孔５３が設けられている。
【００３４】
ストッパ部材６について説明する。図４に示すように、ストッパ部材６は、ガススプリング２を圧縮した状態で、移動体３の移動を阻止し、ドアクローザ１の設置後に移動体３を移動可能とする部材である。ストッパ部材６は、固定手段としての固定用板６１と、当接用板６２を有する。前記当接用板６２は、当接部６３と、固定手段としての挟持部６４とを有する。前記当接部６３は、移動体３に当接して移動体３の移動を阻止する部分である。前記当接用板６２は、前記外装体４の収容空間に収容され、かつ屈曲部４３の図示下面に当接する幅を有する。当接部６３は図示下方に折れ曲がり、収容空間内の移動体３と当接する。前記固定用板６１は屈曲部４３の図示上面に当接する幅を有する。前記当接用板６２の挟持部６４には雌ネジ孔６５が設けられている。また、前記固定用板６１には、前記雌ネジ孔６５に対向する位置に貫通孔６６が設けられている。前記貫通孔６６と前記雌ネジ孔６５とにボルト６７を螺入し、固定用板６１と当接用板６２とで、外装体４の屈曲部４３を挟持する。前記ボルト６７を締め付けて、ストッパ部材６を外装体４の任意の位置に固定することができ、ボルト６７を緩めて、ストッパ部材６を外装体４の任意の位置に移動させることができる。
【００３５】
次に、前記説明したドアクローザ１を開き扉に取り付ける場合について説明する。本実施例では、コンシールドタイプのドアクローザとして取り付ける。コンシールドタイプとは、ドアクローザを開き扉の扉本体上部８１又は枠体上部８２に内蔵するタイプである。本実施例では、ドアクローザ１の本体部分である外装体４を扉本体上部８１に内蔵させる。扉本体上部８１には、ドアクローザ１の本体部分を内蔵するための空間を設ける必要がある。図３に示すように、前記空間は、扉本体の外側扉面部８５と内側扉面部８６との間に設けられる。前記空間には、外装体４の底部４１を取り付けるための取付床部８７を設ける。内側扉面部８６はアーム５と干渉しない高さとしている。
【００３６】
尚、以下の説明において、開き扉の扉回転支持部８４とは、扉本体を枠体に対して回転自在に支持する部分である。また、扉先側８３とは、前記扉回転支持部８４によって支持されていない側である。
【００３７】
まず、外装体４を開き扉の扉本体上部８１に取り付ける前に、ガススプリング２を圧縮状態とする。図４に示す状態から、ストッパ部材６のボルト６７を緩めた状態とし、ガススプリング２の反発力に対抗して移動体３を移動させ、ストッパ部材６を移動体３に当接させた状態で、ボルト６７を締め付ける。ストッパ部材６を外装体４に対して固定することにより、移動体３の移動を阻止することとなり、ガススプリング２の反発力に対抗して移動体３を移動させた状態を保つ。
【００３８】
次に、開き扉の扉本体上部８１に、前記ガススプリング２及び前記移動体３を収容した外装体４を取り付ける（図１、図２参照）。取り付け位置は、扉本体上部８１であって扉回転支持部８４に近い位置とする。外装体４を取り付ける向きは、移動体３が扉先側８３となる向きとする。外装体４の底部４１に設けた取付用孔４４に取付手段としてのタッピングビス等を貫通させ、扉本体上部８１の取付床部８７に取り付ける。
【００３９】
アーム５の取り付けは、まず、アーム５の端部に設けられた台座５２を、開き扉の枠体上部８２に取り付ける（図１、２参照）。台座５２は、台座５２に設けられた台座取付用孔５３を用いて枠体上部８２に螺着する。台座５２の取り付け位置は、以下の３条件を満たす位置とする。第１に、図２に示すように、アーム５の回転中心５５が、外装体４に収容された移動体３と、扉回転支持部８４との間となること。第２に、アーム５の回転中心５５は、扉回転支持部８４から離れていること。第３に、アーム５の連結用孔５１と移動体３とを連結し、扉本体を閉止した状態では、ガススプリング２は自然長、あるいは、やや圧縮された状態となること。
【００４０】
外装体４を扉本体上部８１に取り付け、アーム５を枠体上部８２に取り付けた後、移動体３とアーム５とを回転自在に連結する。連結は、移動体３に設けた連結用軸部３２とアーム５に設けた連結用孔５１とを連結する（図３参照）。連結用軸部３２には雌ネジ部が形成されているため、アーム５と連結させた後、抜け止めのためのボルト５４を螺着してアーム５が抜脱することを防止する。
【００４１】
移動体３とアーム５とを連結した後、ストッパ部材６を移動させる。ストッパ部材６のボルト６７を緩めた状態とし、移動体３を移動させる。ストッパ部材６が移動体３に干渉しない位置まで移動させ、ボルト６７を締め付けてストッパ部材６を固定する。
【００４２】
次に、本実施例のドアクローザ１の動作について、図７乃至図９を用いて説明する。扉本体は、扉回転支持部８４を中心として回転する。図８及び図９に示すように、Ｌ１は扉本体の軌跡を示す。一方、アーム５はアーム５の回転中心５５を中心として回転する。Ｌ２はアーム５の軌跡を示す。扉回転支持部８４とアーム５の取り付け位置は同一ではないため、前記Ｌ１とＬ２は一致しない。
【００４３】
図７は、扉本体が閉じられた状態を示す。アーム５は外装体４と略平行な状態である。ガススプリング２は最も伸張した状態である。この状態から扉本体が開かれる。
【００４４】
図８は、扉本体が約４５度の開き角度まで開かれた状態である。扉本体の開き角度が増加するに従って、前記Ｌ１とＬ２との差が広がる。
移動体３はガススプリング２に連結されているが、アーム５にも連結されている。このため、移動体３はアーム５の長さに規制されて、Ｌ２の軌跡に沿って移動する。すなわち、移動体３は、扉本体の開き角度が増加するに従い、ガススプリング２を圧縮しながら案内部である外装体４に沿って移動する。ガススプリング２の圧縮量は、軌跡Ｌ１とＬ２の差分となる。扉本体の開き角度が増加するに従って、ガススプリング２には反発力が蓄積される。
尚、この状態において、アーム５は扉本体の側方には、僅かな部分しか突出せず、露出部分が少ない。
【００４５】
図９は、扉本体の開き角度が９０度となった状態である。図８の状態と比較して、ガススプリング２は更に圧縮されている。尚、この状態においても、アーム５は扉本体の側方には、僅かな部分しか突出せず、露出部分が少ない。
【００４６】
図８あるいは図９の状態において、扉本体を開く手を離すと、前記説明したように、ガススプリング２に蓄積された反発力により、アーム５に扉本体を閉じる方向の閉止力が作用する。この閉止力によって扉本体は閉じられる。
【００４７】
この実施の形態では、以下の効果を有する。
【００４８】
外装体４は、ガススプリング２の伸縮方向に沿って移動体３を案内する案内部を有するため、移動体３にはアーム５によって横方向の力が作用するが、移動体３は安定した動作で進退し、ドアクローザ１は円滑に作動する。
【００４９】
ガススプリング２及び移動体３は外装体４に収容されており、また、アーム５が扉に略沿った状態で扉が開閉されるため、露出部分が少なく、開き扉に取り付けた場合に、取り付け性がよく、外観上好ましいものとなる。また、ガススプリング２等から、仮に油漏れが生じても、外装体４に収容されているため、扉本体等を汚さない。
【００５０】
ガススプリング２の反発力に対抗して移動体３を移動させた後、ストッパ部材６で移動体３の移動を阻止することにより、移動体３を移動させた状態を保つことができる。ドアクローザ１の取り付けにおいて、移動体３とアーム５とを連結する場合には、ガススプリング２を圧縮して移動体３を移動させる必要があるが、前記のように移動体３を移動させた状態をストッパ部材６で保つことができるため、移動体３とアーム５とを連結する作業が容易である。
また、工場出荷時からガススプリング２を圧縮した状態としておけば、ドアクローザ１を取り付ける現場においてガススプリング２を圧縮する作業が不要となるため、取り付け作業を一層容易にすることができる。
【００５１】
ガススプリング２は径が細く、移動体３もガススプリング２の伸縮方向に沿って配置するため、ドアクローザ１の幅を細くすることができる。このため、開き扉の扉本体上部８１又は枠体上部８２に内蔵するコンシールドタイプのドアクローザとして使用することができる。
【００５２】
従来から普及しているコンシールドタイプのドアクローザは、アームを回転させる本体と、アームの端部に摺動自在に連結されてアームの端部を案内するレールとを有する。このため、開き扉には、本体を内蔵するための空間と、レールを内蔵するための空間とをそれぞれ設ける必要がある。
一方、本実施例に係るドアクローザの場合、開き扉の扉本体上部８１又は枠体上部８２に外装体４を内蔵するための空間のみを設ければよい。アーム５の端部は、扉本体上部８１又は枠体上部８２に固定すればよい。
従って、本実施例に係るドアクローザをコンシールドタイプのドアクローザとして使用する場合、開き扉への加工が少なく、取り付けが容易であり、更に外観上も好ましいものとなる。
【００５３】
扉本体を開くことにより、移動体３が直線的に移動し、ガススプリング２が圧縮されて反発力を蓄積する構造であるため、ドアクローザ１に左開き用、右開き用の区別がない。従って左右いずれに開く開き扉にも使用することができる。
【００５４】
ガススプリング２自体が制動手段を有しているため、ドアクローザ１に別途制動手段を設ける必要がない。そのため、構造が簡単になり、組立も容易、コストも安価となる。
【００５５】
単純な構造であり、精度の必要な部品は少ない。部品点数は少なく、組立も簡単である。
【実施例２】
【００５６】
次に実施例２について説明する。この実施例２では、外装体４に被覆部７を設けた点が、実施例１と異なっている（図１０参照）。前記実施例１と同一部分は同一符号を付して詳しい説明は省略する。
【００５７】
図１０に示すように、ガススプリング主体２１を扉先側８３とし、ロッド部２２を扉回転支持部８４側となるようにガススプリング２を外装体４に収納した場合において、ガススプリング２のロッド部２２を被覆する被覆部７を外装体４に設ける。
【００５８】
前記被覆部７は、例えば外装体４の屈曲部４３に跨るように設けた板部材とする。この場合、ロッド部２２に埃等の異物が蓄積されることを防止する。また、ガススプリング主体２１は扉先側８３となり、ロッド部２２は扉回転支持部８４側となっているため、ロッド部２２を被覆する被覆部７はアーム５の作動の障害とならず、ドアクローザ１は円滑に作動する。
【実施例３】
【００５９】
次に実施例３について説明する。この実施例３では、ガススプリングの制動力を調整可能とした点が、実施例１と異なっている。前記実施例１と同一部分は同一符号を付して詳しい説明は省略する。
【００６０】
図１１に示すように、ガススプリング２は、制動力を調整する制動力調整手段を有する。制動力調整手段の構造については詳細な説明を省略するが、従来から公知の構造である。本実施例のガススプリング２では、制動力調整部２５を操作することによって制動力を調整する。前記制動力調整部２５は、ロッド部２２の端部に設けられる。制動力調整部２５には、十字型の溝が形成されている。この溝に適合するプラスドライバー等によって制動力調整部２５を回転させ、制動力を調整することができる。
【００６１】
図１１に示すように、ロッド部２２の端部に設けられるロッド側連結部２３は、中央部に間隙を有している。このため、矢印で示すように、制動力調整部２５の操作は前記間隙にプラスドライバー等を通して行なうことができる。また、図１２に示すように、扉本体上部８１の側部には、前記制動力調整部２５を操作するための操作用孔８８を設ける。外装体４は扉本体上部８１に内蔵させているため、扉本体に設けた前記操作用孔８８を通して、前記制動力調整部２５を操作することができる。尚、前記操作用孔８８は扉本体上部８１の側部に設けられているため、扉本体を開いた状態で制動力調整部２５の操作を行なう。
【００６２】
実施例３に係るドアクローザ１によれば、操作用孔８８を通して、制動力調整部２５を操作することができるため、ドアクローザ１を開き扉に取り付けた状態でガススプリング２の制動力を調整することができる。従って、開き扉の閉止速度を調整することが容易である。また、前記操作用孔８８は扉本体上部８１の側部に設けられているため、扉本体を閉止した状態では枠体に隠蔽され、外部に露出しない。従って、開き扉の外観を損なうことがない。
【００６３】
尚、実施の形態は上記に限定されるものではなく、例えば以下のように変更してもよい。
【００６４】
実施例では、コンシールドタイプとして説明したが、これに限定されず、開き扉の外側に取り付けるようにしてもよい。
【００６５】
実施例では、扉本体上部８１に外装体４を取り付けたが、これに限定されず、逆付け、すなわち枠体上部８２に外装体４を取り付けるようにしてもよい。
【００６６】
実施例では、移動体３にはガススプリング主体２１を取り付けたが、ガススプリング２の向きを反対として、移動体３にロッド部２２を取り付けるようにしてもよい。
【図面の簡単な説明】
【００６７】
【図１】本発明の実施例１に係るドアクローザ１を開き扉に取り付け、扉本体上部８１の一部を切除した状態の斜視簡略図である。
【図２】本発明の実施例１に係るドアクローザ１を開き扉に取り付けた状態の側面簡略図である。
【図３】図２の３−３線における端面簡略図である。
【図４】図３の４−４線における断面簡略図である。
【図５】図２の５−５線における断面簡略図である。
【図６】本発明の実施例１に係るドアクローザ１のアーム５の平面図である。
【図７】本発明の実施例１に係るドアクローザ１の動作を示す平面図である。
【図８】本発明の実施例１に係るドアクローザ１の動作を示す平面図である。
【図９】本発明の実施例１に係るドアクローザ１の動作を示す平面図である。
【図１０】本発明の実施例２に係るドアクローザ１を長手方向に切断した断面簡略図である。
【図１１】本発明の実施例３に係るドアクローザ１を長手方向に切断し、ロッド部２２付近を拡大した断面簡略図である。
【図１２】扉本体上部８１の側部を扉回転支持部８４の側から見た状態の簡略図である。
【図１３】従来のドアクローザ９８の平面図である。
【符号の説明】
【００６８】
１      ドアクローザ
２      ガススプリング
２１    ガススプリング主体
２２    ロッド部
２３    ロッド側連結部
２４    主体側連結部
２５    制動力調整部
３      移動体
３１    ピン
３２    連結用軸部
４      外装体
４１    底部
４２    側部
４３    屈曲部
４４    取付用孔
４５    連結部材
５      アーム
５１    連結用孔
５２    台座
５３    台座取付用孔
５４    ボルト
５５    アーム５の回転中心
６      ストッパ部材
６１    固定用板
６２    当接用板
６３    当接部
６４    挟持部
６５    雌ネジ孔
６６    貫通孔
６７    ボルト
７      被覆部
８１    扉本体上部
８２    枠体上部
８３    扉先側
８４    扉回転支持部
８５    外側扉面部
８６    内側扉面部
８７    取付床部
８８    操作用孔
９１    扉
９２    壁
９３    ガスダンパー
９４    ロッド部
９５    カバー
９６    ガイド部材
９７    アーム
９８    ドアクローザ
【図１】
2006152702.tif 000003
【図２】
2006152702.tif 000004
【図３】
2006152702.tif 000005
【図４】
2006152702.tif 000006
【図５】
2006152702.tif 000007
【図６】
2006152702.tif 000008
【図７】
2006152702.tif 000009
【図８】
2006152702.tif 000010
【図９】
2006152702.tif 000011
【図１０】
2006152702.tif 000012
【図１１】
2006152702.tif 000013
【図１２】
2006152702.tif 000014
【図１３】
2006152702.tif 000015